(57)【特許請求の範囲】
【請求項１】
第１シャフトと、前記第１シャフト内に伸縮可能に嵌合される第２シャフトと、前記第１シャフトの上端に取り付けられるグリップと、を少なくとも備え、前記第２シャフトと前記第１シャフトとの間には、前記第２シャフトに外へ飛び出す力を付勢する弾性部材と、前記第２シャフトをロックするための係止リング式の伸縮ロック装置と、が設けられており、前記係止リング式の伸縮ロック装置には、縦方向に設置され且つ係止リングを遥動させる駆動シャフトが設けられている、自動伸縮杖であって、
前記グリップには、前記駆動シャフトの上端に当接して前記駆動シャフトを押すことで前記伸縮ロック装置を開放する押しボタン機構が設けられており、
前記グリップ上且つ前記押しボタン機構の前方には、押しボタンをロックすることが可能なロックボタンがスライド可能に設けられており、
前記グリップは、グリップ本体とグリップ蓋とを含み、
前記押しボタン機構の前記押しボタンは、前記グリップ本体の上端に設けられ、前記押しボタンの前端は、前記グリップ本体の上端にヒンジで連結され、
前記グリップ蓋の上端後側には、前記押しボタンの後部が突出する溝孔が開設され、
前記溝孔の前端には、前記ロックボタンが嵌まってスライドする位置決めレールが設けられ、
前記押しボタンの上端中央部分には、前記ロックボタンが係合することで前記押しボタンがロックされる位置決め溝が成形され、
前記駆動シャフトには、前記押しボタンに当接して、前記押しボタンに外へ飛び出す力を終始付勢する第３バネが嵌合しており、
前記押しボタンの底部の中間部分は前記駆動シャフトと当接し、前記押しボタンを押下すると、前記駆動シャフトが下方向に移動して、前記係止リング式の伸縮ロック装置を動かし開放する、
ことを特徴とする、自動伸縮杖。
【請求項２】
前記グリップ本体の上端は開口しており、
前記開口の前端には、連結孔が開設された連結耳部が設けられており、
前記押しボタンの前端には、１つの軸孔が横向きに設けられており、
前記連結孔および前記軸孔を連結ピンが貫通することにより、前記押しボタンが回動可能に前記グリップ本体に連結され、
前記押しボタンの後部には、前記グリップ蓋から突出する押圧部が形成され、
前記押圧部の上端前側は、前方向に延びて、前記ロックボタンが挿入されてロックされる位置決め溝を形成し、
前記押圧部の後端は、上下に遥動可能に前記グリップ蓋の後側上方に嵌合される、
ことを特徴とする、請求項１に記載の自動伸縮杖。
【請求項３】
第１シャフトと、前記第１シャフト内に伸縮可能に嵌合される第２シャフトと、前記第１シャフトの上端に取り付けられるグリップと、を少なくとも備え、前記第２シャフトと前記第１シャフトとの間には、前記第２シャフトに外へ飛び出す力を付勢する弾性部材と、前記第２シャフトをロックするための係止リング式の伸縮ロック装置と、が設けられており、前記係止リング式の伸縮ロック装置には、縦方向に設置され且つ係止リングを遥動させる駆動シャフトが設けられている、自動伸縮杖であって、
前記グリップには、前記駆動シャフトの上端に当接して前記駆動シャフトを押すことで前記伸縮ロック装置を開放する押しボタン機構が設けられており、
前記グリップ上且つ前記押しボタン機構の前方には、押しボタンをロックすることが可能なロックボタンがスライド可能に設けられており、
前記グリップは、グリップ本体とグリップ蓋とを含み、
前記押しボタン機構の前記押しボタンは、前記グリップ本体の上端に設けられ、上下に運動可能に前記グリップ本体内に挿着され、
前記グリップ蓋の上端には、前記押しボタンの後部が突出する溝孔が開設され、
前記溝孔の前端には、前記ロックボタンが嵌まってスライドする位置決めレールが設けられ、
前記押しボタンの上端中央部分には、前記ロックボタンと係合してロックされる位置決め溝が成形され、
前記駆動シャフトには、前記押しボタンに当接して、前記押しボタンに外へ飛び出す力を終始付勢する第３バネが嵌合しており、
前記押しボタンの底部は前記駆動シャフトと当接し、前記押しボタンを押下すると、前記駆動シャフトが下方向に移動して、前記係止リング式の伸縮ロック装置を動かし開放する、
ことを特徴とする、自動伸縮杖。
【請求項４】
前記押しボタンの両側には、位置制限ガイド孔が縦方向に開設されており、前記位置制限ガイド孔にピンが貫通してグリップ本体に固定される、
ことを特徴とする、請求項３に記載の自動伸縮杖。
【請求項５】
前記ロックボタンは、前記グリップ蓋上の前記位置決めレールと互いに適応する細長い形状の構造であり、前記位置決めレール上に設置され、
前記ロックボタンの前端は、位置変更可能で前記グリップ蓋内に挿入されて嵌合し、
前記ロックボタンの後端は、後方下向きに延びて、前記押しボタンの前記位置決め溝に係合してロックを行うロック部を形成する、
ことを特徴とする、請求項１または３に記載の自動伸縮杖。
【請求項６】
前記ロックボタンの上端面前側には、位置制限係止溝が横方向に凹設されており、
前記グリップ蓋の内壁には、前記位置制限係止溝に対応する位置制限係止リブが横方向に凸設されており、
前記ロックボタンの上端面中央部分には、手で押しやすいように鋸歯形状を有する傾斜突起が成形されている、
ことを特徴とする、請求項５に記載の自動伸縮杖。
【請求項７】
前記係止リング式の伸縮ロック装置は、前記第１シャフトの下端外側に固定されて嵌合する１つの連結スリーブと、軸ピンにより遥動可能に前記連結スリーブ内に設けられて前記第１シャフトの下方に位置する遥動リングと、上方に設けられた上係止リングおよび下方に設けられた下係止リングを含むロック係止リングとを含み、
前記第２シャフトは、前記連結スリーブ、前記下係止リング、前記遥動リングおよび前記上係止リングを貫通して前記第１シャフト内に挿設され、前記ロック係止リングおよび前記連結スリーブによりロックされて固定され、
前記弾性部材として、前記第２シャフトに外へ飛び出す力を終始付勢する第４バネが使用される、
ことを特徴とする、請求項１から３のいずれか１項に記載の自動伸縮杖。
【請求項８】
前記連結スリーブの内壁中央部分には、前記遥動リング、前記上係止リング、および前記下係止リングが装入されて遥動する環状空洞が成形されており、前記環状空洞の上端前側には、後方下向きに傾斜し且つ前記上係止リングの前端が装入される第１挿入溝が設けられており、前記環状空洞の下端後側には、前方上向きに傾斜し且つ前記下係止リングの後端が装入される第２挿入溝が設けられており、前記遥動リングは前記第１挿入溝と前記第２挿入溝の間に回動可能に設置され、
前記連結スリーブ内且つ前記上係止リングの後側上方には、前記上係止リングの後側と当接する第１バネが縦方向に設けられており、前記下係止リングの前側下方には、前記下係止リングの下端前側と当接する第２バネが縦方向に設けられており、前記上係止リングおよび前記下係止リングは、それぞれ前記第１バネおよび前記第２バネの作用によって傾斜した状態を呈し、前記遥動リングの片側と当接して、前記上係止リングおよび前記下係止リングの内壁と前記第２シャフトの外壁とをロックして固定し、
前記第１シャフト内に設けられた前記駆動シャフトの下端は、前記上係止リングの前側を貫通することによって或いは直接、前記遥動リングの上端前側と当接し、前記押しボタンを押下すると、前記駆動シャフトが下方向に移動し、前記遥動リングの前側を下方向に遥動させ、前記上係止リングおよび前記下係止リングが、前記遥動リングの作用により前記第１バネおよび前記第２バネの作用力を克服して回動し、平直な状態となり、前記第２シャフトのロックを解除する、
ことを特徴とする、請求項７に記載の自動伸縮杖。
【請求項９】
前記下係止リングは、重なり合って２つ設けられている、
ことを特徴とする、請求項７に記載の自動伸縮杖。
【請求項１０】
前記第１シャフト内には、前記第２シャフトが挿通される円形通路と、前記駆動シャフトが挿通される円孔とが貫設されており、前記グリップ内には、前記円孔に対応するガイド孔が開設され、前記駆動シャフトの上端は、前記グリップを貫通して前記押しボタンと当接する、
ことを特徴とする、請求項７に記載の自動伸縮杖。
【請求項１１】
前記連結スリーブ内且つ前記上係止リングの前側上方に、１つの減振バネが縦方向に設けられており、前記減振バネは、前記上係止リングの上方に設けられている、前記円形通路と前記円孔との間の移行空間内に位置し、前記第２シャフト上のガイド制限ピースと係合する、
ことを特徴とする、請求項１０に記載の自動伸縮杖。
【請求項１２】
前記連結スリーブは、左連結スリーブおよび右連結スリーブに分かれ、前記左連結スリーブと前記右連結スリーブとを前記第１シャフトの下端において合わせた後、上挟持スリーブおよび下挟持スリーブによって前記第１シャフト上で挟持することを特徴とする、
請求項７に記載の自動伸縮杖。
【請求項１３】
前記グリップ本体の下端は、前記第１シャフトに嵌合してグリップカバーにより前記第１シャフトと固定され、前記グリップ本体の後側と前記グリップ蓋との間には、ストラップが挿入される切欠きが形成され、１つのネジが前記グリップ蓋および前記ストラップを貫通して前記グリップ本体にねじ込まれることにより、前記ストラップが固定されることを特徴とする、
請求項１〜４のいずれか１項に記載の自動伸縮杖。
【発明の詳細な説明】
【技術分野】
【０００１】
本発明は、杖の技術分野に関し、具体的には、トレッキングポール、スキーポール、歩行杖等の各種杖に適した自動伸縮杖に関する。
【背景技術】
【０００２】
既存のトレッキングポール、スキーポール等の杖は、主に歩行を補助し、支えとなるものである。従来の杖のほとんどは一体型の杖であり、長さも長く、体積も大きいため、保管にも携帯にも不便だという欠点があった。このため、現在は多くの伸縮可能な杖が提案されている。伸縮可能な杖は、一般に、主管と延長管とを含み、伸縮位置決め装置を用いて伸縮と位置決めを行うことにより、体積を小さくするという目的を達成する。現在は、さらに自動伸縮可能な杖が出てきており、例えば欧州特許第１２７４９４６号公報「細長い２つの部材をロックするための装置」には、自動伸縮杖の２本のシャフト間のロック構造が開示されている。これによると、ロック構造として係止リング式の伸縮ロック装置が採用され、駆動シャフトによって伸縮ロック装置をロック状態または開放状態にすることで、弾性部材の作用を受けて第２シャフトが第１シャフトから自動的に飛び出すことが不可能または可能になり、これにより杖の自動伸縮が実現される。しかし、欧州特許第１２７４９４６号公報は、主に係止リング式の伸縮ロック装置について述べているだけで、どのようにして駆動シャフトによって安全に駆動またはロックを行うのかについては記載されていない。そのため、このような構造を用いると、杖の自動伸縮は実現できるが、構造が複雑である上、誤操作により杖が不意に自動的に伸縮する恐れがあり、最悪の場合、使用者の身体的安全に影響を及ぼしてしまう。また、既存の構造は複雑であり、振動を減衰させる構造がないため、ユーザの使用感も良くない。さらに調査すると、欧州特許第１４０９８７８号公報にも、上述のものと類似した、自動伸縮杖の２本のシャフト間の係止リング式の伸縮ロック装置が開示されている。この装置では、遥動リング機構に新たに改良を加え、いくつかの構造を簡素化しているが、駆動シャフトを用いた設計であるため、依然として誤操作により杖が不意に自動的に伸縮してしまう恐れがある。よって、更なる改良設計が必要とされる。
【発明の概要】
【０００３】
本発明が解決しようとする技術的課題は、上述の技術の現状に鑑み、簡単で合理的な構造を有し、安全に信頼性高く使用できる自動伸縮杖を提供し、誤操作による杖の不意な自動伸縮の発生を解消して、安全性および信頼性を向上させることにある。
【０００４】
本発明が上述の技術的課題を解決するために採用した技術手段は、以下のとおりである。自動伸縮杖は少なくとも、第１シャフトと、第２シャフトと、グリップとを含む。グリップは、第１シャフトの上端に取り付けられる。第２シャフトは、第１シャフト内に伸縮可能に嵌合される。第２シャフトと第１シャフトとの間には、第２シャフトに外へ飛び出す力を付勢する弾性部材と、第２シャフトをロックするための係止リング式の伸縮ロック装置と、が設けられている。係止リング式の伸縮ロック装置には、縦方向に設置され且つ係止リングを遥動させる駆動シャフトが設けられている。そして、この自動伸縮杖では、駆動シャフトの上端に当接して駆動シャフトを押すことで伸縮ロック装置を開放する押しボタン機構がグリップに設けられており、グリップ上且つ押しボタン機構の前方には、押しボタンをロックすることが可能なロックボタンがスライド可能に設けられている、ことを特徴とする。
【０００５】
改良としては、以下のとおりである。グリップは、グリップ本体とグリップ蓋とを含む。押しボタン機構の押しボタンは、グリップ本体の上端に設けられ、押しボタンの前端は、グリップ本体の上端にヒンジで連結される。グリップ蓋の上端後側には、押しボタンの後部が突出する溝孔が開設され、溝孔の前端には、ロックボタンが嵌まってスライドする位置決めレールが設けられる。押しボタンの上端中央部分には、ロックボタンが係合することで押しボタンがロックされる位置決め溝が成形される。駆動シャフトには、押しボタンに当接して、押しボタンに外へ飛び出す力を終始付勢する第３バネが嵌合している。押しボタンの底部の中間部分は駆動シャフトと当接し、押しボタンを押下すると、駆動シャフトが下方向に移動して、係止リング式の伸縮ロック装置を動かし開放する。
【０００６】
さらには、以下のとおりである。グリップ本体の上端は開口しており、開口の前端には、連結耳部が設けられている。連結耳部には連結孔が開設され、押しボタンの前端には、１つの軸孔が横向きに設けられており、この連結孔および軸孔を連結ピンが貫通することにより、押しボタンが回動可能にグリップ本体に連結される。押しボタンの後部には、グリップ蓋から突出する押圧部が形成される。押圧部の上端前側は、前方向に延びて、ロックボタンが挿入されてロックされる位置決め溝を形成し、押圧部の後端は、上下に遥動可能にグリップ蓋の後側上方に嵌合される。
【０００７】
改良としては、以下のとおりである。グリップは、グリップ本体とグリップ蓋とを含む。押しボタン機構の押しボタンは、グリップ本体の上端に設けられ、上下に運動可能にグリップ本体内に挿着される。グリップ蓋の上端には、押しボタンの後部が突出する溝孔が開設され、溝孔の前端には、ロックボタンが嵌まってスライドする位置決めレールが設けられる。押しボタンの上端中央部分には、ロックボタンと係合してロックされる位置決め溝が成形される。駆動シャフトには、押しボタンに当接して、押しボタンに外へ飛び出す力を終始付勢する第３バネが嵌合している。押しボタンの底部は駆動シャフトと当接し、押しボタンを押下すると、駆動シャフトが下方向に移動して、係止リング式の伸縮ロック装置を動かし開放する。
【０００８】
さらには、押しボタンの両側には、位置制限ガイド孔が縦方向に開設されており、この位置制限ガイド孔にピンが貫通してグリップ本体に固定される。
【０００９】
更なる改良としては、以下のとおりである。ロックボタンは、グリップ蓋上の位置決めレールと互いに適応する細長い形状の構造であり、位置決めレール上に設置される。ロックボタンの前端は、位置変更可能でグリップ蓋内に挿入されて嵌合する。ロックボタンの後端は、後方下向きに延びて、押しボタンの位置決め溝に係合してロックを行うロック部を形成する。
【００１０】
さらには、ロックボタンの上端面前側には、位置制限係止溝が横方向に凹設されており、グリップ蓋の内壁には、位置制限係止溝に対応する位置制限係止リブが横方向に凸設されており、ロックボタンの上端面中央部分には、手で押しやすいように鋸歯形状を有する傾斜突起が成形されている。
【００１１】
更なる改良としては、以下のとおりである。係止リング式の伸縮ロック装置は、１つの連結スリーブと、遥動リングと、ロック係止リングと、を含む。連結スリーブは、第１シャフトの下端外側に固定されて嵌合する。遥動リングは、軸ピンにより遥動可能に連結スリーブ内に設けられて、第１シャフトの下方に位置する。ロック係止リングは、上方に設けられた上係止リングおよび下方に設けられた下係止リングを含む。第２シャフトは、連結スリーブ、下係止リング、遥動リング、および上係止リングを貫通して第１シャフト内に挿設され、ロック係止リングおよび連結スリーブによりロックされて固定される。弾性部材として、第２シャフトに外へ伸び出る力を終始付勢する第４バネが使用される。
【００１２】
さらには、以下のとおりである。連結スリーブの内壁中央部分には、遥動リング、上係止リング、および下係止リングが装入されて遥動する環状空洞が成形されている。環状空洞の上端前側には、後方下向きに傾斜し且つ上係止リングの前端が装入される第１挿入溝が設けられており、環状空洞の下端後側には、前方上向きに傾斜し且つ下係止リングの後端が装入される第２挿入溝が設けられている。遥動リングは、この第１挿入溝と第２挿入溝との間に回動可能に設置される。連結スリーブ内且つ上係止リングの後側上方には、上係止リングの後側と当接する第１バネが縦方向に設けられており、下係止リングの前側下方には、下係止リングの下端前側と当接する第２バネが縦方向に設けられている。上係止リングおよび下係止リングは、それぞれ第１バネおよび第２バネの作用によって傾斜した状態を呈し、遥動リングの片側と当接して、上係止リングおよび下係止リングの内壁と第２シャフトの外壁とをロックして固定する。駆動シャフトは、第１シャフト内に設けられる。駆動シャフトの下端は、上係止リングの前側を貫通することによって或いは直接、遥動リングの上端前側と当接する。押しボタンを押下すると、駆動シャフトが下方向に移動し、遥動リングの前側を下方向に遥動させ、上係止リングおよび下係止リングが、遥動リングの作用によって第１バネおよび第２バネの作用力を克服して回動し、平直な状態となり、第２シャフトのロックを解除する。
【００１３】
さらに、下係止リングは、重なり合って２つ設けられている。
【００１４】
さらに、第１シャフト内には、第２シャフトが挿通される円形通路と、駆動シャフトが挿通される円孔とが貫設されており、グリップ内には、円孔に対応するガイド孔が開設され、駆動シャフトの上端は、グリップを貫通して押しボタンと当接する。
【００１５】
またさらに、連結スリーブ内且つ上係止リングの前側上方に、１つの減振バネが縦方向に設けられており、減振バネは、上係止リングの上方に設けられており、円形通路と円孔との間の移行空間内に位置し、第２シャフト上のガイド制限ピースと係合する。
【００１６】
またさらに、連結スリーブは、左連結スリーブおよび右連結スリーブに分かれ、左連結スリーブと右連結スリーブとを第１シャフトの下端において合わせた後、上挟持スリーブおよび下挟持スリーブによって第１シャフト上で挟持する。
【００１７】
最後に、グリップ本体の下端は、第１シャフトに嵌合してグリップカバーにより第１シャフトと固定される。また、グリップ本体の後側とグリップ蓋との間には、ストラップが挿入される切り欠きが形成され、１つのネジがグリップ蓋およびストラップを貫通してグリップ本体にねじ込まれることにより、ストラップが固定される。
【００１８】
既存技術と比べて、本発明は以下の特長を有する。グリップにロックボタンが追加されたことによって、押しボタンを簡単にロックすることができるため、押しボタンの押し間違えにより杖が不意に伸縮してしまうことを防止でき、構造も簡単且つ合理的で、製造しやすい。ロック装置内に遥動リングと上・下係止リングを設けるだけであり、しかも下係止リングは２個とされているので、より強固に安定してロックをすることができる。減振バネを追加したことで、シャフトの伸縮がさらに安定し信頼性が増す上、連結スリーブが左右を合わせることで構成され、上・下挟持スリーブと結合されるので、組み立てやすい。本発明は、構造が簡単で、使いやすく、低コストである。また、自動的に伸縮できるので携帯にも保管にも便利なだけでなく、さらに押しボタンをロックすることができるので、より安全に信頼性高く使用することができ、トレッキングポール、スキーポール、歩行杖等の各種杖に適している。
【図面の簡単な説明】
【００１９】
【図１】本発明の実施例１の自動伸縮杖の構造模式図である。
【図２】実施例１において、グリップを開いた状態の自動伸縮杖を示す構造模式図である。
【図３】図１の自動伸縮杖の分解図である。
【図４】実施例１の自動伸縮杖において押しボタンをロックした状態の構造断面図である。
【図５】実施例１の自動伸縮杖において押しボタンを開放した状態の構造断面図である。
【図６】本発明の実施例２の自動伸縮杖の構造模式図である。
【図７】本発明の実施例２の自動伸縮杖のグリップの断面図である。
【図８】本発明の実施例２の自動伸縮杖の分解図である。
【図９】本発明の実施例１の自動伸縮杖の分解図である。
【発明を実施するための形態】
【００２０】
以下、図面と実施例を結びつけながら、本発明についてさらに詳しく説明する。
【００２１】
＜実施例１＞
図１〜５に示すように、自動伸縮杖は、第１シャフト１と、第２シャフト２と、第３シャフトと、グリップ３と、伸縮機構と、係止リング式の伸縮ロック装置４と、を含む。第３シャフトは、伸縮可能に第２シャフト内に取り付けられ、第２シャフトの下端に取り付けられたロックアセンブリによってロックされる。これは公知である。グリップ３は、第１シャフト１の上端に取り付けられる。第２シャフト２は、伸縮可能に第１シャフト１内に嵌合され、第２シャフト２と第１シャフト１との間には、第２シャフト２に外へ飛び出す力を付勢する弾性部材が設けられている。また、第１シャフト１と第２シャフト２とは、係止リング式の伸縮ロック装置４によってロックされて固定されている。係止リング式の伸縮ロック装置４には、縦方向に設置され且つ係止リングを遥動させる駆動シャフト８が設けられている。なお、ここでの縦方向は、第１シャフトの長手方向である。グリップ３には、駆動シャフト８の上端に当接して、駆動シャフト８を圧迫することで伸縮ロック装置４を開放する押しボタン機構が設けられている。グリップ３上且つ押しボタン機構の前方には、押しボタン５をロックするロックボタン６がスライド可能に設けられている。グリップ３は、主に、グリップ本体３１、グリップ蓋３２、およびグリップカバー３３を組み合わせて成り、止め釘により固定、連結される。グリップ本体３１の下端は、第１シャフト１に嵌合し、グリップカバー３３によって第１シャフト１に固定される。押しボタン機構の押しボタン５は、グリップ本体３１の上端に設けられ、押しボタン５の前端は、グリップ本体３１とヒンジで連結される。グリップ蓋３２の上端後側には、押しボタン５の後部が突出する溝孔３２１が縦方向に開設され、溝孔３２１の前端には、ロックボタン６が嵌まってスライドする位置決めレール３２２が設けられている。押しボタン５の上端中央部分には、ロックボタン６と係合してロックされる位置決め溝５３が成形されている。押しボタン５の底部の中間部分は、駆動シャフト８と当接する。駆動シャフト８には、押しボタン５と当接して、押しボタン５に外へ飛び出す力を終始付勢する第３バネ２０が嵌合している。押しボタン５を押下すると、駆動シャフト８が下方向に移動して、係止リング式の伸縮ロック装置４を動かし開放する。
【００２２】
具体的な構成は、以下のとおりである。グリップ本体３１の上端は開口している。この開口の前端に連結耳部３１１が設けられており、連結耳部３１１には連結孔３１２が開設されている。押しボタン機構において、押しボタン５の前端には１つの軸孔５１が横方向に設けられている。連結ピン７が連結孔３１２および軸孔５１を貫通することによって、押しボタン５がグリップ本体３１と回動可能に連結される。押しボタン５の後部が上方向に突起することによって、グリップ蓋３２から突出する押圧部５２が形成される。押圧部５２の上端前側が前方向に延びることによって、ロックボタンを挿入してロックする位置決め溝５３が形成される。押圧部５２の後端は、上下に移動可能にグリップ蓋３２の後側上方に嵌合される。通常、駆動シャフト８の上端は、押しボタン５底部の中間部分にあるので、梃子の作用が生まれ、押圧力を大きくする効果が得られ、駆動シャフトの動作の敏捷性を高めることができる。ロックボタン６は、グリップ蓋３２の位置決めレール３２２に適応する細長い形状の構造であり、位置決めレール３２２上に設けられる。ロックボタン６の上端面の前側には、２つの位置制限係止溝６２が横方向に凹設され、グリップ蓋３２の内壁には、位置制限係止溝６２に対応する位置制限係止リブ３２３が凸設される。ロックボタン６の前端は、位置変更可能で、グリップ蓋３２内に挿入されて嵌合する。ロックボタン６の後端は後方下向きに延びて、押しボタン５の位置決め溝５３に係合してロックを行うロック部６１を形成する。ロックボタン６の上端面の中央部分には、手で押しやすいように鋸歯形状を有する傾斜突起６３が成形されている。
【００２３】
伸縮機構は第４バネ９を含み、第４バネ９は第１シャフト１内に設けられて、第２シャフト２に外へ伸び出る力を終始付勢する。騒音や壁面との摩擦を小さくするため、第４バネ９は、バネ袋を被せられていてもよい。伸縮機構の原理は従来のものと類似するため、ここでは詳しく説明しない。
【００２４】
係止リング式の伸縮ロック装置４は、１つの連結スリーブ４１と、遥動リング４２と、ロック係止リングと、第１バネ４３および第２バネ４４とを含む。連結スリーブ４１は、第１シャフト１の下端外側に固定されて嵌合する。遥動リング４２は、軸ピンにより遥動可能に連結スリーブ４１内に設けられ、第１シャフト１の下方に位置する。ロック係止リングは、上係止リング４６および下係止リング４７の２種類の係止リングを含む。第２シャフト２は、連結スリーブ４１、下係止リング４７、遥動リング４２、および上係止リング４６を貫通して、第１シャフト１内に挿設される。上係止リング４６および下係止リング４７が連結スリーブ４１にロックされて固定されることにより、連結スリーブ４１の内壁中央部分に、遥動リング４２、上係止リング４６、および下係止リング４７が装入されて遥動する環状空洞４０１が成形される。環状空洞４０１の上端前側には、後方下向きに傾斜し且つ上係止リング４６の前端が装入される第１挿入溝４１１が設けられている。第１挿入溝４１１は、断面視で、天井面が水平面であり、底面が後方下向きに次第に傾斜する傾斜面である。環状空洞４０１の下端後側には、前方上向きに傾斜し且つ下係止リング４７の後端が装入される第２挿入溝４１２が設けられている。第２挿入溝４１２は、断面視で、底面が水平面で、天井面が前方上向きに傾斜する傾斜面である。遥動リング４２は、第１挿入溝４１１と第２挿入溝４１２との間に設けられる。第１バネ４３は、上係止リング４６の後側上方のバネ用孔に縦方向に設けられ、上係止リング４６の後側と当接して、上係止リング４６の後側を下向きに傾斜させて遥動リング４２の後側上方と当接させる。第２バネ４４は、下係止リング４７の前側下方のバネ用孔に縦方向に設けられ、下係止リング４７の下端前側と当接し、下係止リング４７の前側を上向きに傾斜させて遥動リング４２の前側下方と当接させる。このように傾斜した上係止リング４６および下係止リング４７の内壁と、第２シャフト２の外壁とがロックされて固定されるので、第２シャフト２が自動的に伸長して飛び出すことがない。ロックする力を強化するために、下係止リング４７は２つ設けられている。駆動シャフト８は、第１シャフト１内に設けられ、駆動シャフト８の下端は、上係止リング４６の前側を貫通して、遥動リング４２の上端前側と当接する。押しボタン５を押下すると、駆動シャフト８が下方向に移動して遥動リング４２を動かし、遥動リング４２が自身の軸ピンによってその前側を下向きに遥動する。遥動リング４２は、下係止リング４７の底面が第２挿入溝４１２の平直な底面に接触するまで遥動することができ、これにより下係止リング４７が回動して真っ直ぐになり、第２シャフト２の外壁との間に隙間を形成する。同じ原理で、遥動リング４２の揺動によって、遥動リング４２の後側は上係止リング４６の後側の底面と当接し、その後側を上向きに回動させる。上係止リング４６は、その天井面が第１挿入溝４１１の平直な天井面に接触するまで回動することができ、これにより上係止リング４６が回動して真っ直ぐになり、第２シャフト２の外壁との間に隙間を形成する。このようにして、上係止リング４６および下係止リング４７が遥動リング４２の作用により、第１バネ４３および第２バネ４４の作用力を克服して、第２シャフト２のロックを解除する。よって、第２シャフト２は、第４バネ９の作用により自動的に飛び出すことができる。使用時の安定性を高め、騒音を抑えるため、連結スリーブ４１内且つ上係止リング４６の前側上方の第２シャフト２と駆動シャフト８との移行空間に、１つの減振バネ４５が縦方向に内設されており、この減振バネ４５を第２シャフト２のガイド制限ピース２１１と係合させることができる。通常、ガイド制限ピース２１１は、第２シャフト２のエンドキャップ２１の側面に設けられている。連結スリーブ４１並びに、例えば遥動リング４２、上係止リング４６、下係止リング４７、第１バネ４３および第２バネ４４等の内部部品を取り付けやすいように、連結スリーブ４１は、左連結スリーブ４１５と右連結スリーブ４１６とに分かれている。左連結スリーブ４１５および右連結スリーブ４１６は、第１シャフト１の下端において合わせられた後、上挟持スリーブ４１３および下挟持スリーブ４１４によって第１シャフト１に固定される。一旦押しボタン５から指を離すと、駆動シャフト８が第３バネ２０の作用により元の位置に戻り、上係止リング４６および下係止リング４７もそれぞれ第１バネ４３および第２バネ４４の作用により元の位置に戻って、遥動リング４２を反対方向に遥動させる。遥動リング４２は、上係止リング４６の底面が第１挿入溝４１１の傾斜した底面に密着するまで遥動し、上係止リング４６を傾斜させる。これにより、上係止リング４６が第２シャフト２に引っかかって当接する。また、同時に、下係止リング４７の天井面が第２挿入溝４１２の傾斜した天井面に密着して、下係止リング４７を傾斜させる。これにより、下係止リング４７が、第２シャフト２に引っかかって当接する。このようにして上係止リング４６、下係止リング４７によって第２シャフト２を再びロックする。
【００２５】
第１シャフト１内には、第２シャフト２を挿通する円形通路と、駆動シャフト８を挿通する円孔とが貫設されている。円形通路と円孔は厳密な円形ではなく、移行空間と連通しやすいように開口を有している。グリップ本体３１内には、円孔に対応するガイド孔３１３が設けられている。駆動シャフト８の上端は、グリップ本体３１を貫通して、押しボタン５の下端と当接する。減振バネ４５は、上係止リング４６の上方に設けられ、円形通路と円孔との間の移行空間内に位置する。グリップ３には、さらにストラップ３０が繋がれており、グリップ本体３１の後側とグリップ蓋３２との間には、ストラップ３０が挿入される切り欠きが設けられている。１つのネジ１０がグリップ蓋３２およびストラップ３０を貫通して、グリップ本体３１内にねじ込まれることにより、ストラップ３０が固定される。
【００２６】
具体的な操作は以下のとおりである。
【００２７】
第２シャフト２を伸長する必要がある時は、まず、ロックボタン６を動かして押しボタン５に対するロックを解除し、押しボタン５を押下する。すると、駆動シャフト８が下方向に移動して遥動リング４２を遥動させ、この遥動リング４２の作用により、上係止リング４６および下係止リング４７がそれぞれ第１バネ４３および第２バネ４４の作用力を克服して回動し、遥動リング４２、上係止リング４６、および下係止リング４７は傾斜した状態から平らな状態になる。これにより第２シャフト２のロックが解除され、第２シャフト２が第４バネ９の作用により、自動的に飛び出す。押しボタン５を離すと、駆動シャフト８が上方向に移動し、上係止リング４６および下係止リング４７が、第１バネ４３および第２バネ４４の作用により、同時に反対方向に再び回動して元の位置に戻り、傾斜した状態となって、第２シャフトの外壁と密接し第２シャフトをロックする。
【００２８】
使用しない時は、押しボタン５を押して、上係止リング４６、下係止リング４７を平らな状態に変え、第２シャフト２に対するロックを解除する。手でグリップ３を押し、第２シャフト２を縮め入れ、所定の位置まできたら、押しボタン５を離す。すると、駆動シャフト８が第３バネの作用により上方向に移動し、上係止リング４６および下係止リング４７が、第１バネ４３および第２バネ４４の作用により、同時に反対方向に回動して元の位置に戻り、傾斜した状態となって、第２シャフト２をロックする。そして、グリップ３の上端のロックボタン６を動かして、ロックボタン６で押しボタン５をロックする。
【００２９】
＜実施例２＞
図６〜８に示すように、本実施例の自動伸縮杖は、第１シャフト１と、第２シャフト２と、第３シャフトと、グリップ３と、伸縮機構および係止リング式の伸縮ロック装置４とを含む。実施例１との相違点は、実施例１の押しボタン５は、ヒンジ式の押しボタンであったのに対し、本実施例の押しボタン５０は、上下運動式の押しボタンである点である。なお、その効果は同じである。
【００３０】
具体的には、押しボタン５０は、上下に運動可能にグリップ本体３１に挿着される。押しボタン５０の両側には、位置制限ガイド孔５０２が縦方向に開設され、ピン５００が位置制限ガイド孔５０２を貫通してグリップ本体３１に固定される。グリップ蓋３２の上端には、押しボタン５０が突出する溝孔が形成され、溝孔の前端には、ロックボタン６が嵌まってスライドする位置決めレールが設けられている。押しボタン５０の上端中央部分には、ロックボタン６と係合してロックされる位置決め溝５０１が成形されている。駆動シャフト８には、押しボタン５０と当接して、押しボタン５０に外へ飛び出す力を付勢する第３バネが嵌合している。押しボタン５０の底部は駆動シャフト８と当接する。押しボタン５０を押下すると、駆動シャフト８が下方向に移動して、係止リング式の伸縮ロック装置４を動かし開放する。
【００３１】
その他の構成は、実施例１と同一である。
【００３２】
本実施例は、自動伸縮杖の最良の実施形態を開示したものであり、本発明の保護範囲を限定するものと理解されるべきではない。同等または類似の技術手段を代わりに用いることで回動を実現するものは全て、本発明の保護範囲に含まれる。
【先行技術文献】
【特許文献】
【００３３】
【特許文献１】欧州特許第１２７４９４６号公報
【特許文献２】欧州特許第１４０９８７８号公報
【図１】
0006899015.tif 000002
【図２】
0006899015.tif 000003
【図３】
0006899015.tif 000004
【図４】
0006899015.tif 000005
【図５】
0006899015.tif 000006
【図６】
0006899015.tif 000007
【図７】
0006899015.tif 000008
【図８】
0006899015.tif 000009
【図９】
0006899015.tif 000010